(57)【要約】【課題】製造工程において記憶部に記憶されたファームウェアを書き換える場合に、製造工程を短縮することが可能なＡＶ機器を提供する。【解決手段】液晶テレビ１００ａ、１００ｂは、ファームウェアが入力されるＩ／Ｆ（インターフェース）１８と、Ｉ／Ｆ１８を介して入力されたファームウェアを記憶するＲＯＭ１６と、を備え、ＲＯＭ１６に記憶されたファームウェアを、Ｉ／Ｆ１８を介して出力することが可能なように構成されている。ファームウェアの書き換えが終了した液晶テレビ１００ａに、書き換えが行われる液晶テレビ１００ｂを接続し、液晶テレビ１００ａのＲＯＭ１６に記憶されているファームウェアを、Ｉ／Ｆ１８およびＲＳ−２３２Ｃケーブル５０を介して液晶テレビ１００ｂのＲＯＭ１６に書き込む。【選択図】図２
2010146042.tif 000002
【特許請求の範囲】
【請求項１】
ファームウェアが入力されるインターフェースと、
前記インターフェースを介して入力されたファームウェアを記憶する第１記憶部と、を備えたＡＶ（Audio-Visual）機器において、
前記第１記憶部に記憶されたファームウェアを、前記インターフェースを介して出力することが可能なように構成されていることを特徴とするＡＶ機器。
【請求項２】
請求項１に記載のＡＶ機器において、
データを一時的に記憶する第２記憶部をさらに備え、
前記第２記憶部に記憶されたデータを、前記インターフェースを介して出力することが可能なように構成されていることを特徴とするＡＶ機器。
【請求項３】
請求項１または請求項２に記載のＡＶ機器において、
前記インターフェースが複数設けられていることを特徴とするＡＶ機器。
【発明の詳細な説明】
【技術分野】
【０００１】
本発明は、インターフェースを備えたＡＶ（Audio-Visual）機器に関する。
【背景技術】
【０００２】
従来、外部機器とのインターフェースを備えたＡＶ機器が種々知られている（たとえば、特許文献１〜３参照）。
【０００３】
上記特許文献１には、書き込み治具が接続されるＲＣＡ端子と、プログラムデータを記憶するフラッシュメモリとを備えたテレビジョンセットが開示されている。そして、このテレビジョンセットでは、ＲＣＡ端子に接続された書き込み治具により、フラッシュメモリに記憶されたプログラムデータが書き換えられる。
【０００４】
また、上記特許文献２には、ＰＣ（パーソナルコンピュータ）が接続されるＵＳＢ（Universal Serial Bus）ポートと、ファームウェアを記憶するＰＲＯＭ（Programmable  ROM）とを備えたテレビが開示されている。そして、このテレビでは、ＵＳＢポートに接続されたＰＣにより、ＰＲＯＭに記憶されたファームウェアが書き換えられる。
【０００５】
また、上記特許文献３には、パーソナルコンピュータに接続されるシリアルインターフェースを備えたテレビジョン受像機が開示されている。このテレビジョン受像機は、内部バスのデータを、シリアルインターフェースを介してパーソナルコンピュータに出力する。そして、パーソナルコンピュータに内部バスのデータを表示させることにより、内部バスのデータの内容を確認することが可能である。
【０００６】
【特許文献１】特開平１１−２４９１５号公報
【特許文献２】特開２００７−２９９３７２号公報
【特許文献３】特開２００５−３２８３６７号公報
【発明の開示】
【発明が解決しようとする課題】
【０００７】
しかしながら、上記特許文献１に開示された従来のテレビジョンセットでは、フラッシュメモリに記憶されたプログラムデータを書き換える場合に、ＲＣＡ端子に書き込み治具を接続する必要がある。
【０００８】
また、上記特許文献２に開示された従来のテレビでは、上記特許文献１のテレビジョンセットと同様に、ＰＲＯＭに記憶されたファームウェアを書き換える場合に、ＵＳＢポートにＰＣを接続する必要がある。
【０００９】
したがって、製造工程においてフラッシュメモリ（ＰＲＯＭ）に記憶されたプログラムデータ（ファームウェア）を書き換える場合には、製造ライン上の各テレビジョンセット（テレビ）に順に書き込み治具（ＰＣ）を接続する必要があるので、製造工程を短縮するのが困難であるという問題点がある。
【００１０】
なお、上記特許文献３には、記憶部に記憶されたファームウェアを書き換える構成については、開示も示唆もされていない。
【００１１】
本発明は、上述した課題を解決するものであって、その目的とするところは、製造工程において記憶部に記憶されたファームウェアを書き換える場合に、製造工程を短縮することが可能なＡＶ機器を提供することである。
【課題を解決するための手段】
【００１２】
本発明のＡＶ機器は、ファームウェアが入力されるインターフェースと、インターフェースを介して入力されたファームウェアを記憶する第１記憶部と、を備えたＡＶ（Audio-Visual）機器において、第１記憶部に記憶されたファームウェアを、インターフェースを介して出力することが可能なように構成されている。
【００１３】
このように構成することによって、製造工程においてファームウェアを書き換える場合に、書き換える対象であるＡＶ機器に、製造ライン上の既にファームウェアの書き換えが行われたＡＶ機器を接続することにより、ファームウェアを書き換えることができるので、製造ライン上の各ＡＶ機器に順に書き込み治具（ＰＣ）を接続する場合に比べて、製造工程を短縮することができる。
【００１４】
上記ＡＶ機器において、データを一時的に記憶する第２記憶部をさらに備え、第２記憶部に記憶されたデータを、インターフェースを介して出力することが可能なように構成されていてもよい。
【００１５】
このように構成すれば、インターフェースにパーソナルコンピュータなどの外部機器を接続することにより、外部機器の表示部に第２記憶部に記憶されたデータを表示させることができるので、第２記憶部に記憶されたデータの内容を確認することができる。
【００１６】
上記ＡＶ機器において、インターフェースが複数設けられていてもよい。
【００１７】
このように構成すれば、製造ライン上の各ＡＶ機器を直列に接続することにより、ＡＶ機器のファームウェアを順に書き換えることができるので、製造工程をより短縮することができる。
【発明の効果】
【００１８】
本発明によれば、製造工程において記憶部に記憶されたファームウェアを書き換える場合に、製造工程を短縮することが可能なＡＶ機器を提供することができる。
【発明を実施するための最良の形態】
【００１９】
以下、本発明の実施形態について、図面を参照しながら説明する。なお、以下の実施形態では、ＡＶ（Audio-Visual）機器の一例である液晶テレビジョン受像機（以下、「液晶テレビ」という）に本発明を適用した場合について説明する。
【００２０】
図１は、本発明の一実施形態による液晶テレビの全体構成を示したブロック図である。まず、図１を参照して、本実施形態による液晶テレビ１００の構成について説明する。
【００２１】
本発明の一実施形態による液晶テレビ１００は、図１に示すように、テレビジョン放送を受信して表示するテレビ本体１と、テレビ本体１を遠隔操作するリモコン２とを備えている。
【００２２】
テレビ本体１は、チューナ１１と、信号処理部１２と、表示部１３と、受信部１４と、ＣＰＵ１５と、ＲＯＭ１６と、ＲＡＭ１７と、インターフェース（以下、「Ｉ／Ｆ」という）１８とを含んでおり、これらはバス１ａを介して接続されている。なお、ＲＯＭ１６は、本発明の「第１記憶部」の一例であり、ＲＡＭ１７は、本発明の「第２記憶部」の一例である。
【００２３】
チューナ１１は、アンテナ（図示省略）が受信したテレビジョン放送のチャンネルを選択するとともに、選択されたチャンネルの放送信号を信号処理部１２に出力する。信号処理部１２は、デコーダなどを含み、チューナ１１から入力された放送信号に対して所定の処理を施し、所定の処理が施された放送信号（映像信号）を表示部１３に出力する。
【００２４】
表示部１３は、液晶パネルやパネル駆動回路などを含み、信号処理部１２から入力された映像信号に基づいて映像を表示する。受信部１４は、フォトダイオードなどを含み、リモコン２から出力される赤外線リモコン信号を受信する。
【００２５】
ＣＰＵ１５は、テレビ本体１の動作を制御する。ＲＯＭ１６は、書き換え可能な不揮発性のメモリであり、たとえば、フラッシュメモリである。ＲＯＭ１６は、テレビ本体１の動作を制御するためのプログラム（以下、「ファームウェア」という）や、設定項目の設定値などを記憶する。
【００２６】
ＲＡＭ１７は、たとえば、ＤＲＡＭであり、データなどを一時的に記憶する。Ｉ／Ｆ１８は、外部機器と通信を行うためのシリアルインターフェースであり、ＵＡＲＴ（Universal Asynchronous Receiver Transmitter）やＲＳ−２３２Ｃポートなどを含む。
【００２７】
液晶テレビ１００は、Ｉ／Ｆ１８を介してファームウェアが入力されるとともに、入力されたファームウェアをＲＯＭ１６に記憶する。これにより、ファームウェアの書き換え（更新）が行われる。また、液晶テレビ１００は、ＲＯＭ１６に記憶されたファームウェアをＩ／Ｆ１８を介して出力可能に構成されている。また、液晶テレビ１００は、ＲＡＭ１７に記憶されたデータをＩ／Ｆ１８を介して出力可能に構成されている。
【００２８】
図２は、本発明の一実施形態による液晶テレビのファームウェアの書き換え動作を説明するための図である。次に、図２を参照して、本実施形態による液晶テレビ１００ｂのファームウェアの書き換え動作について説明する。なお、図２では表示部１３（図１参照）などを省略したが、図２の液晶テレビ１００ａおよび１００ｂの構成は図１の液晶テレビ１００と同様である。また、液晶テレビ１００ａは、既にファームウェアの書き換えが行われた液晶テレビであり、液晶テレビ１００ｂは、ファームウェアの書き換えが行われていない液晶テレビである。
【００２９】
まず、図２に示すように、製造ラインにおいて、ＲＳ−２３２Ｃケーブル５０により、ファームウェアの書き換えが行われる液晶テレビ１００ｂが、既にファームウェアの書き換えが行われた液晶テレビ１００ａに接続される。その後、リモコン２（図１参照）の操作により、液晶テレビ１００ａおよび１００ｂが出荷前に設定を行うための工場モードに切り替えられる。
【００３０】
次に、液晶テレビ１００ａのＲＯＭ１６からファームウェアが読み出される。そして、その読み出されたファームウェアがＩ／Ｆ１８によりシリアルデータに符号化され、そのシリアルデータがＩ／Ｆ１８から出力される。そして、シリアルデータがＲＳ−２３２Ｃケーブル５０を介して液晶テレビ１００ｂに入力される。
【００３１】
次に、液晶テレビ１００ｂに入力されたシリアルデータがＩ／Ｆ１８により復号化され、ファームウェアがＲＯＭ１６に書き込まれる。これにより、液晶テレビ１００ｂのファームウェアが書き換えられる。
【００３２】
液晶テレビ１００ｂのファームウェアの書き換えが終了すると、ＲＳ−２３２Ｃケーブル５０が液晶テレビ１００ａのＩ／Ｆ１８から取り外され、液晶テレビ１００ｂの後に続く液晶テレビ（図示省略）のＩ／ＦにＲＳ−２３２Ｃケーブル５０が接続される。そして、上記と同じ要領により、液晶テレビ１００ｂのＲＯＭ１６に書き込まれたファームウェアが後続の液晶テレビのＲＯＭに書き込まれる。以下同様にして、製造ライン上で、順次液晶テレビへファームウェアの書き込みが行われる。
【００３３】
本実施形態では、上記のように、ＲＯＭ１６に記憶されたファームウェアをＩ／Ｆ１８を介して出力可能に構成することによって、書き込み治具（ＰＣ）などを用いることなくファームウェアの書き換えを行うことができる。このため、製造工程においてファームウェアを書き換える場合に、製造ライン上の隣接する液晶テレビ１００ａおよび１００ｂを接続することにより、液晶テレビ１００ｂのファームウェアを書き換えることができるので、製造ライン上の各液晶テレビ１００ｂに順に書き込み治具などを接続する場合に比べて、製造工程を短縮することができる。たとえば、液晶テレビ１００の輝度を安定させるためのエージング中に、ファームウェアの書き換えを行うことができる。
【００３４】
また、本実施形態では、ＲＡＭ１７に記憶されたデータをＩ／Ｆ１８を介して出力可能に構成することによって、Ｉ／Ｆ１８にパーソナルコンピュータなどの外部機器（図示省略）を接続することにより、外部機器の表示部にＲＡＭ１７に記憶されたデータを表示させることができるので、ＲＡＭ１７に記憶されたデータの内容を確認することができる。
【００３５】
本発明は、上述した以外にも種々の実施形態を採用することができる。たとえば、上記実施形態では、液晶テレビ１００に本発明を適用する例を示したが、これに限らず、ＤＶＤプレーヤなどのその他のＡＶ機器に本発明を適用してもよい。
【００３６】
また、上記実施形態では、液晶テレビ１００にＩ／Ｆ１８が１つ設けられる例を示したが、これに限らず、図３に示した本実施形態の変形例による液晶テレビ２００のように、Ｉ／Ｆ１８が複数設けられていてもよい。この場合には、製造ライン上の各液晶テレビ２００を直列に接続することにより、ＲＳ−２３２Ｃケーブル５０（図２参照）を接続しなおすことなく、液晶テレビ２００のファームウェアを順に書き換えることができる。これにより、製造工程をより短縮することができる。
【００３７】
また、上記実施形態では、Ｉ／Ｆ１８がＲＳ−２３２Ｃポートを含む例を示したが、これに限らず、Ｉ／Ｆ１８がＵＳＢ（Universal Serial Bus）ポートを含んでいてもよい。
【図面の簡単な説明】
【００３８】
【図１】本発明の一実施形態による液晶テレビの全体構成を示したブロック図である。
【図２】本発明の一実施形態による液晶テレビのファームウェアの書き換え動作を説明するための図である。
【図３】本発明の一実施形態の変形例による液晶テレビの全体構成を示したブロック図である。
【符号の説明】
【００３９】
１６  ＲＯＭ（第１記憶部）
１７  ＲＡＭ（第２記憶部）
１８  Ｉ／Ｆ
１００、１００ａ、１００ｂ、２００  液晶テレビ（ＡＶ機器）
【図１】
2010146042.tif 000003
【図２】
2010146042.tif 000004
【図３】
2010146042.tif 000005